(57)【要約】      （修正有）【課題】銃身部分に対応したサウンドを出力することで興趣性を高めた銃型玩具を提供する。【解決手段】銃型玩具は、所定の動作を行う動作部分を持つ複数の動作ユニットと、複数の動作ユニットを識別するための識別コード担持カードと、サウンド出力ユニットと、トリガーが設けられたグリップを持ち、前記複数の動作ユニットが取り付けられるとともに、サウンド出力ユニットが着脱可能に取り付けられる銃型玩具本体とを有する。サウンド出力ユニットは、識別カードを読み取る識別コード読取ヘッドと、各動作ユニットに対応するサウンドデータを記憶する記憶部と、音声出力部と、トリガーの操作の有無を検出するトリガー操作検出部と、識別コード読取ヘッドでの読取結果に対応するサウンドデータを記憶部から読み出して該サウンドデータに基づくサウンドをトリガー操作検出部がトリガーの操作を検出した際に音声出力部から出力させる制御部とを備えている。【選択図】図１
0003142585.tif 000002
【実用新案登録請求の範囲】
【請求項１】
各々が独立に銃身相当部を構成可能し、互いに異なる形態を持ち、所定の動作を行う動作部分を持つ複数の動作ユニットと、
前記複数の動作ユニットの各々に対応した絵柄が表示され互いに異なる識別コードを担持する識別コード担持カードと、
サウンド出力ユニットと、
トリガーが設けられたグリップを持ち、前記複数の動作ユニットの一つが選択的に取り付けられるとともに、前記サウンド出力ユニットが着脱可能に取り付けられる銃型玩具本体と、
を備え、
前記動作ユニットには、前記動作部分に動力を伝達するためのユニット側動力伝達機構が設けられ、
前記サウンド出力ユニットには、電源と、前記識別コードを読み取る識別コード読取ヘッドと、前記複数の動作ユニットの前記動作部分それぞれに対応するサウンドデータを記憶する記憶部と、音声を出力するための音声出力部と、前記トリガーの操作の有無を検出するトリガー操作検出部と、前記識別コード読取ヘッドでの読取結果に対応するサウンドデータを前記記憶部から読み出して該サウンドデータに基づくサウンドを前記トリガー操作検出部が前記トリガーの操作を検出した際に前記音声出力部から出力させる制御部と、が設けられ、
前記銃型玩具本体には、電源と、モータと、前記トリガーが操作された時に前記モータを駆動させるためのモータ駆動回路と、前記動作ユニットが取り付けられた状態で前記ユニット側動力伝達機構に連結され前記モータの動力を前記ユニット側動力伝達機構に伝達するための本体側動力伝達機構と、が設けられている、
ことを特徴とする銃型玩具。
【請求項２】
前記銃型玩具本体には、前記トリガーの操作又は前記モータの駆動によって動作する被トリガー操作検出部が設けられ、前記トリガー操作検出部は前記被トリガー操作検出部の動作の有無を検出するように構成されていることを特徴とする請求項１に記載の銃型玩具。
【請求項３】
前記複数の動作ユニットには、
前記動作部分が、前記モータの動力によって揺動動作する動作部分であることを特徴とする請求項１又は２に記載の銃型玩具。
【請求項４】
前記複数の動作ユニットには、
前記動作部分が、前記モータの動力によって直線往復動作する動作部分である動作ユニットが含まれていることを特徴とする請求項１から３のいずれか一項に記載の銃型玩具。
【請求項５】
前記複数の動作ユニットには、
前記動作部分が、前記モータの動力によって回転動作する動作部分である動作ユニットが含まれていることを特徴とする請求項１から４のいずれか一項に記載の銃型玩具。
【請求項６】
前記複数の動作ユニットには、
前記動作部分が、前記モータの動力によって把持動作する動作部分であることを特徴とする請求項１から５のいずれか一項に記載の銃型玩具。
【考案の詳細な説明】
【技術分野】
【０００１】
本考案は、銃型玩具に係り、特に銃身部分の交換が可能な銃型玩具に関する。
【背景技術】
【０００２】
銃型玩具においては、トリガー（引き金）が引かれることに連動して弾が発射されるものや、光線が発射されるもの、銃身部分が所定の動作を行うものなどが知られている。また、トリガーが引かれることによって、所定のサウンドが出力される銃型玩具も開発されている（例えば特許文献１参照）。
【特許文献１】特開２００１−２９３２６１号公報
【考案の開示】
【考案が解決しようとする課題】
【０００３】
近年においては、銃型玩具を用いた遊びに多様性を持たせるために、銃身部分をいろいろな種類の形状のものに交換自在とすることが提案されている。しかしながら、銃身部分を異なる種類に交換したとしても、出力されるサウンドは、交換された銃身部分に対応したものでないために、ユーザに物足りなさを感じさせてしまうのが実状である。
【０００４】
本考案の課題は、銃身部分を取り替えたとしても、その銃身部分に対応したサウンドを出力することで、興趣性を高めた銃型玩具を提供することである。
【課題を解決するための手段】
【０００５】
請求項１記載の発明は、
各々が独立に銃身相当部を構成可能し、互いに異なる形態を持ち、所定の動作を行う動作部分を持つ複数の動作ユニットと、
前記複数の動作ユニットの各々に対応した絵柄が表示され互いに異なる識別コードを担持する識別コード担持カードと、
サウンド出力ユニットと、
トリガーが設けられたグリップを持ち、前記複数の動作ユニットの一つが選択的に取り付けられるとともに、前記サウンド出力ユニットが着脱可能に取り付けられる銃型玩具本体と、
を備え、
前記動作ユニットには、前記動作部分に動力を伝達するためのユニット側動力伝達機構が設けられ、
前記サウンド出力ユニットには、電源と、前記識別コードを読み取る識別コード読取ヘッドと、前記複数の動作ユニットの前記動作部分それぞれに対応するサウンドデータを記憶する記憶部と、音声を出力するための音声出力部と、前記トリガーの操作の有無を検出するトリガー操作検出部と、前記識別コード読取ヘッドでの読取結果に対応するサウンドデータを前記記憶部から読み出して該サウンドデータに基づくサウンドを前記トリガー操作検出部が前記トリガーの操作を検出した際に前記音声出力部から出力させる制御部と、が設けられ、
前記銃型玩具本体には、電源と、モータと、前記トリガーが操作された時に前記モータを駆動させるためのモータ駆動回路と、前記動作ユニットが取り付けられた状態で前記ユニット側動力伝達機構に連結され前記モータの動力を前記ユニット側動力伝達機構に伝達するための本体側動力伝達機構と、が設けられている、
ことを特徴としている。
【０００６】
請求項２記載の発明は、請求項１記載の銃型玩具において、
前記銃型玩具本体には、前記トリガーの操作又は前記モータの駆動によって動作する被トリガー操作検出部が設けられ、前記トリガー操作検出部は前記被トリガー操作検出部の動作の有無を検出するように構成されていることを特徴としている。
【０００７】
請求項３記載の発明は、請求項１又は２に記載の銃型玩具において、
前記複数の動作ユニットには、
前記動作部分が、前記モータの動力によって揺動動作する動作部分であることを特徴としている。
【０００８】
請求項４記載の発明は、請求項１から３のいずれか一項に記載の銃型玩具において、
前記複数の動作ユニットには、
前記動作部分が、前記モータの動力によって直線往復動作する動作部分である動作ユニットが含まれていることを特徴としている。
【０００９】
請求項５記載の発明は、請求項１から４のいずれか一項に記載の銃型玩具において、
前記複数の動作ユニットには、
前記動作部分が、前記モータの動力によって回転動作する動作部分である動作ユニットが含まれていることを特徴としている。
【００１０】
請求項６記載の発明は、請求項１から５のいずれか一項に記載の銃型玩具において、
前記複数の動作ユニットには、
前記動作部分が、前記モータの動力によって把持動作する動作部分であることを特徴としている。
【考案の効果】
【００１１】
本考案によれば、識別コード担持カードを使用すれば、トリガーを操作した際に、銃型玩具本体に取り付けられた動作ユニットに対応するサウンドが音声出力部から出力されるので、興趣性を高めることができる。
【考案を実施するための最良の形態】
【００１２】
以下、本実施形態に係る銃型玩具について図面を参照し説明する。図１は本実施形態に係る銃型玩具の概略構成を示す側面図である。図１に示すように、銃型玩具１には、銃型玩具本体１０と、当該銃型玩具本体１０に着脱自在に取り付けられる動作ユニット２０と、銃型玩具本体１０に着脱自在に取り付けられるサウンド出力ユニット３０と、動作ユニット２０の種類を識別するための識別コード担持カード４０（図７参照）とが備えられている。
【００１３】
図２は銃型玩具本体１０を示す側面図である。この図２に示すように、銃型玩具本体１０の後部には、トリガー１１を備えたグリップ１２が設けられている。また、銃型玩具本体１０の上部には取っ手Ｔが設けられるとともに、銃型玩具本体１０の側面にはサウンド出力ユニット３０が着脱される凹部１５が設けられている。凹部１５には開口１６が設けられている。また、凹部１５の近傍には、サウンド出力ユニット３０を銃型玩具本体１０に固定するためのロック部１７が設けられている。このロック部１７をロックするとサウンド出力ユニット３０が凹部１５に固定されて、ロック部１７のロックを解除するとサウンド出力ユニット３０を取り外せるようになっている。
銃型玩具本体１０の先端部には、複数種類の動作ユニット２０の１つが選択的に取り付けられる着脱部１８が設けられている。着脱部１８は、その下端部が軸支されていて、この軸１９を中心にして下方に折り畳み自在になっている。
【００１４】
図３は、銃型玩具本体１０の内部構成を示すブロック図である。この図３に示すように銃型玩具本体１０には、電源５０と、モータ５１と、トリガー１１が操作された時にモータ５１を駆動させるためのモータ駆動回路５２と、モータ５１の動力を動作ユニット２０に伝達するための本体側動力伝達機構５３と、トリガー１１の操作に基づいて動作する被トリガー操作検出部５４とが設けられている。
【００１５】
本体側動力伝達機構５３は、モータ５１の駆動によって駆動軸１３１（図１２）を駆動させるものであり、この駆動軸１３１は着脱部１８の内部に配置されている。
また、被トリガー操作検出部５４は、トリガー１１と機械的に接続されていて、トリガー１１の操作動作に連動して動作するようになっている。
【００１６】
図４は動作ユニット２０の一例を示す側面図である。この図４に示すように、動作ユニット２０は、その外観がチェーンソーを模した形状を成している。動作ユニット２０は、銃型玩具本体１０の着脱部１８に取り付けられる銃身相当部２１と、銃身相当部２１の周囲に配され、前後方向に揺動動作を行う鋸歯状のベルト部（動作部分）２２とを備えている。銃身相当部２１には、ベルト部２２を揺動させるためのユニット側動力伝達機構が内蔵されている。
【００１７】
次に、上述した動作ユニット２０とは異なる種類の動作ユニット２０Ａについて説明する。図５は動作ユニット２０Ａを示す側面図である。この図５に示すように、動作ユニット２０Ａは、その外観が放水砲を模した形状を成している。この動作ユニット２０Ａは、銃型玩具本体１０の着脱部１８に取り付けられる銃身相当部２１ａと、銃身相当部２１ａの先端部で直線往復動する往復部（動作部分）２２ａとを備えている。銃身相当部２１ａには、往復部２２ａを往復動作させるためのユニット側動力伝達機構が内蔵されている。
【００１８】
また、図４，５に示すように、動作ユニット２０，２０Ａには、当該動作ユニット２０，２０Ａを銃型玩具本体１０に固定するためのロック部２８，２８ａが設けられている。このロック部２８，２８ａをロックすると動作ユニット２０，２０Ａが着脱部１８に固定されて、ロック部２８，２８ａのロックを解除すると動作ユニット２０，２０Ａを取り外せるようになっている。
【００１９】
なお、上記したようにチェーンソーを模した動作ユニット２０や、放水砲を模した動作ユニット２０Ａ以外にも、例えば斧や、ハンマー、ピック、クラブハンド、ドリル等を模した銃身相当部を用いてもよい。なお、いずれの銃身相当部においても、銃型玩具本体１０の着脱部１８に取り付けられた際に、内部のユニット側動力伝達機構が駆動軸１３１と係合し、駆動軸１３１の回転に連動して駆動するようになっていることが必要である。
【００２０】
また、銃身相当部２１，２１ａの所定の動作としては、上述した以外にも回転動作や、把持動作などが挙げられる。駆動軸１３１の回転動作を、各動作に変換するユニット側動力伝達機構の例を図６に示す。図６に示すように、駆動軸１３１の回転動作を揺動動作に変換する場合には、ユニット側動力伝達機構としてリンク機構などが挙げられる。また、駆動軸１３１の回転動作を直進往復動に変換する場合には、ユニット側動力伝達機構としてカム機構及びリンク機構などが挙げられる。駆動軸１３１の回転動作を回転動作にして伝達する場合には、ユニット側動力伝達機構として歯車機構、ベルト機構及びチェーン機構などが挙げられる。駆動軸１３１の回転動作を把持動作に変換する場合には、ユニット側動力伝達機構としてリンク機構などが挙げられる。
【００２１】
これら各動作ユニット２０，２０Ａには、それぞれと対になるように識別コード担持カード４０が設けられている。図７は識別コード担持カード４０を示す正面図である。この図７に示すように識別コード担持カード４０には、対応する動作ユニット２０，２０Ａを識別するための識別コードとしてバーコード４１が設けられている。なお、識別コードとしてはバーコード以外にも、例えば２次元バーコードや、磁気ストライプなどが挙げられる。また、識別コード担持カード４０におけるバーコード４１以外の領域４２には、図示はしていないものの、対となる動作ユニット２０，２０Ａの各々に対応した絵柄が表示されている。
【００２２】
図８はサウンド出力ユニット３０の概略構成を示す斜視図である。この図８に示すように、サウンド出力ユニット３０は、コンピュータを模した形状をしていて、上端部を中心にして開閉するようになっている（図９は開状態を示す）。サウンド出力ユニット３０には、識別コード担持カード４０が挿入されるためのスリット３１が形成されていて、そのスリット３１内に識別コード担持カード４０が挿入された状態で手動走査されるとバーコード４１が識別コード読取ヘッド６１（図１０参照）で読み取られるようになっている。
【００２３】
図１０はサウンド出力ユニットの内部構成を示すブロック図である。サウンド出力ユニット３０には、図１０に示すように電源６０と、バーコードを読み取る識別コード読取ヘッド６１と、複数の動作ユニット２０，２０Ａの動作部分それぞれに対応するサウンドデータを記憶する記憶部６２と、音声を出力するための音声出力部６３と、被トリガー操作検出部５４の動作の有無を検出することで、トリガー１１の操作の有無を検出するトリガー操作検出部６４と、識別コード読取ヘッド６１での読取結果に対応するサウンドデータを記憶部６２から読み出して該サウンドデータに基づくサウンドをトリガー操作検出部６４がトリガー１１の操作を検出した際に音声出力部６３から出力させる制御部６５とが設けられている。
【００２４】
音声出力部６３は、記憶部６２内のサウンドを基に音声信号を生成する音声生成回路と、音声生成回路で生成された音声信号によってサウンドを出力するスピーカとを備えている。
【００２５】
トリガー操作検出部６４は、被トリガー操作検出部５４の動作を検出するものであれば如何なるものでもよい。例えば、銃型玩具本体１０の開口１６から、被トリガー操作検出部５４の動作に連動して出現し、トリガー１１が元の状態に戻ると埋没する突起が設けられている場合には、その突起が開口１６から出現した際に押下されるスイッチをサウンド出力ユニット３０に設けることで、当該スイッチをトリガー操作検出部６４とすることができる。
【００２６】
次に、本実施形態の作用について説明する。
まず、ユーザは複数の動作ユニット２０，２０Ａから所望の動作ユニット（例えば動作ユニット２０）を選び、その動作ユニット２０を銃型玩具本体１０の着脱部１８に装着する（図１１参照）。さらに、ユーザはサウンド出力ユニット３０のスリット３１に対して、動作ユニット２０と対となる識別コード担持カード４０を挿入して手動走査する。これにより、バーコード４１が識別コード読取ヘッド６１に読み取られ、制御部６５は取り付けられた動作ユニット２０を認識する。
【００２７】
その後、ユーザがサウンド出力ユニット３０を銃型玩具本体１０の凹部１５に取り付けると、トリガー操作検出部６４によって被トリガー操作検出部５４の動作の有無が検出できる状態となる（図１参照）。
【００２８】
この状態で、ユーザがトリガー１１を引くと、銃型玩具本体１０側では、モータ５１が駆動して動作ユニット２０が動作する。一方、サウンド出力ユニット３０側では、このトリガー１１の操作を、被トリガー操作検出部５４を介してトリガー操作検出部６４が検出する。そして、制御部６５は、識別コード読取ヘッド６１での読取結果に対応するサウンドデータを記憶部６２から読み出して該サウンドデータに基づくサウンドをトリガー操作検出部６４がトリガー１１の操作を検出した際に音声出力部６３から出力させる。
【００２９】
また、移動時においては、図１２に示すように、銃型玩具本体１０の着脱部１８を折り畳み取っ手Ｔを把握することで携帯性が向上することになる。
【００３０】
以上のように、本実施形態によれば、識別コード担持カード４０を使用すれば、トリガー１１を操作した際に、銃型玩具本体１０に取り付けられた動作ユニット２０，２０Ａに対応するサウンドが音声出力部６３から出力されるので、興趣性を高めることができる。
【００３１】
なお、本考案は上記実施形態に限らず適宜変更可能である。
例えば、上記実施形態では、被トリガー操作検出部５４がトリガーの操作に基づいて動作する場合を例示して説明したが、被トリガー操作検出部５４はモータ５１の駆動によって動作するものであってもよい。
【図面の簡単な説明】
【００３２】
【図１】本実施形態の銃型玩具の概略構成を示す側面図である。
【図２】図１の銃型玩具に備わる銃型玩具本体を示す側面図である。
【図３】図２の銃型玩具本体のブロック図である。
【図４】図２の銃型玩具本体に着脱自在な動作ユニットの一例を示す側面図である。
【図５】図２の銃型玩具本体に着脱自在な動作ユニットのその他の例を示す側面図である。
【図６】駆動軸の回転動作を、各動作に変換するユニット側動力伝達機構の例示した説明図である。
【図７】本実施形態の銃型玩具に備わる識別情報カードを示す正面図である。
【図８】本実施形態の銃型玩具に備わる識別情報読取部であって、閉状態時の識別情報読取部を示す斜視図である。
【図９】図８の識別情報読取部の開状態時を示す斜視図である。
【図１０】音声出力ユニットのブロック図である。
【図１１】識別情報読取部を搭載していない場合の銃型玩具を示す側面図である。
【図１２】折り畳み状態の銃型玩具を示す側面図である。
【符号の説明】
【００３３】
１      銃型玩具
１０      銃型玩具本体
１１      トリガー
１２      グリップ
１５      凹部
１６      開口
１７      ロック部
１８      着脱部
１９      軸
２０，２０Ａ    動作ユニット
２１，２１ａ    銃身相当部
２２      ベルト部（動作部分）
２２ａ    往復部（動作部分）
２８，２８ａ    ロック部
３０      サウンド出力ユニット
３１      スリット
４０      識別コード担持カード
４１      バーコード
４２      領域
５０      電源
５１      モータ
５２      モータ駆動回路
５３      本体側動力伝達機構
５４      被トリガー操作検出部
６０      電源
６１      識別コード読取ヘッド
６２      記憶部
６３      音声出力部
６４      トリガー操作検出部
６５      制御部
１３１      駆動軸
Ｔ      取っ手
【図１】
0003142585.tif 000003
【図２】
0003142585.tif 000004
【図３】
0003142585.tif 000005
【図４】
0003142585.tif 000006
【図５】
0003142585.tif 000007
【図６】
0003142585.tif 000008
【図７】
0003142585.tif 000009
【図８】
0003142585.tif 000010
【図９】
0003142585.tif 000011
【図１０】
0003142585.tif 000012
【図１１】
0003142585.tif 000013
【図１２】
0003142585.tif 000014